(57)【特許請求の範囲】
【請求項１】
各種のデータを格納する記憶装置と、各種のデータを表示する表示装置とを備え、前記記憶装置からデータを読み出して前記表示装置に表示し、各種のデータ処理を実行するデータ処理装置の表示方法であって、
操作メニューを選択するための操作メニュー表示領域と、各種データを表示するメインワーク領域と、前記メインワーク領域に表示するデータの設定または特定機能の選択をするための選択表示領域とを表示し、
前記メインワーク領域では、タブを有する複数のワークシートが重ね表示され、該タブを移動させることにより、該メインワーク領域内の分割及びそれぞれのワークシートの表示面積の変更が可能であり、
前記タブの移動はドラッグ操作により行われ、
前記複数のワークシートのうちの第１のワークシートが全面表示された状態で、該第１のワークシートのタブを斜め方向に移動させると、該第１のワークシートの表示面積が該タブのドラッグ方向に縮小され、該移動に伴う空白部が２以上分割されて、分割されたそれぞれの領域に第１のワークシート以外のワークシートが表示され、
前記複数のワークシートには優先順位が割り当てられ、優先順位の高いワークシートが縮小されると、縮小に伴い分割された２以上の前記空白部に、該縮小されたワークシートの次の順位以降のワークシートが夫々表示されることを特徴とするデータ処理装置の表示方法。
【請求項２】
前記操作メニュー表示領域は表示画面の上部に帯状に表示され、前記メインワーク領域は前記操作メニュー表示領域の下方の一方側に表示され、前記選択表示領域は前記操作メニュー表示領域の下方の他方側に表示されることを特徴とする請求項１に記載のデータ処理装置の表示方法。
【請求項３】
前記タブの移動はドラッグ操作により行われ、
前記複数のワークシートのうちの第１のワークシートが全面表示された状態で、該第１のワークシートのタブを移動させると、該第１のワークシートの表示面積が該タブのドラッグ方向に縮小され、該移動に伴う空白部に第２のワークシートが表示されることを特徴とする請求項１または２に記載のデータ処理装置の表示方法。
【発明の詳細な説明】
【技術分野】
【０００１】
本発明は、使用者が好みに応じて画面レイアウトを自由にカスタマイズできる使い勝手の良好なデータ処理装置の表示方法に関する。
【背景技術】
【０００２】
従来のデータ処理装置においては、個々の文字や画像情報を個々の枠内に収めて、その枠内でのスクロールや編集などの独自性を保ちつつ、他の枠内情報も一緒に見れるという表示方法が知られている。例えば、ウインドウシステムで起動する表計算や文書作成ソフトなどでは、多様な操作ツールを備えた操作ウインドウを複数準備し、ワークエリアを構成する１つのウインドウ内に、必要により前記操作ウインドウを追加して表示するものが知られている。また、表計算ソフトにおいては、ワークエリアに複数のワークシートを重ね表示し、このワークソートに設けたタブ（見出し）を選択することにより、選択されたワークソートを最前列に表示するものが知られている。また、これら各ワークエリア内では、カーソル位置を基準にして、上下、または、左右、あるいは上下左右に分割可能な表示形態を取っている。
【０００３】
また、生体磁場計測装置においては、ウインドウ画面の上部に操作を選択するツールバーを帯状に設け、その下方に、被検者情報部と解析デ−タ部と特定の操作を指示する操作領域部とを左右に並べて配置し、前記解析データ部に多様な解析データを表示するものが知られている。
【０００４】
更に、枠内の情報を広い範囲で見ることができるように、１つの枠（ウインドウ）内に、複数のブロックを配置したレイアウトエリアと、このレイアウトエリアで選択されたブロックの情報を拡大して表示するブロックの内容表示エリアを設けたものが知られている。
【０００５】
【特許文献１】特開２００４−４１７３９号公報
【特許文献２】特開平１１−１９５０１７号公報
【発明の開示】
【発明が解決しようとする課題】
【０００６】
前記表計算や文書作成ソフトでは、操作ウインドウが特定の機能を実行するためのアイコンの分野ごとの集合体となっており、ワークエリアでの作業内容によって、これら分野ごとに分けられた操作ウインドウを画面に選択的に表示することができるため、ある程度のワークエリアを確保することができる。つまり、これら従来例は、ある大きさのワークエリアを確保して、必要な操作ウインドウを選択的に表示するものである。
【０００７】
しかし、生体磁場計測装置や設計支援装置のような特殊なデータ処理装置においては、主体となる解析デ−タ部に加えて、被検者情報部や特定の操作を指示する操作領域部の面積を大きく取る必要があり、これに伴って、解析デ−タ部などの主体となる情報を表示するワークエリアが小さくなる課題がある。したがって、このワークエリアの使い勝手を向上することが、作業性を向上する有効な手段となるといえる。しかも、この種の特殊なデータ処理装置においては、使用者が熟練の作業者となるために、前記操作性を満足しつつ、使用者が好みに応じて画面レイアウトを自由にカスタマイズできる表示方法がもとめられている。
【０００８】
そこで、この発明の目的とするところは、使用者が好みに応じて画面レイアウトを自由にカスタマイズできる使い勝手の良好なデータ処理装置の表示方法を提供することにある。
【課題を解決するための手段】
【０００９】
前記目的を達成するために、本発明は、各種のデータを格納する記憶装置と、各種のデータを表示する表示装置とを備え、前記記憶装置からデータを読み出して前記表示装置に表示し、各種のデータ処理を実行するデータ処理装置の表示方法であって、操作メニューを選択するための操作メニュー表示領域と、各種データを表示するメインワーク領域と、前記メインワーク領域に表示するデータの設定または特定機能の選択をするための選択表示領域とを表示し、前記メインワーク領域では、タブを有する複数のワークシートが重ね表示され、該タブを移動させることにより、該メインワーク領域内の分割及びそれぞれのワークシートの表示面積の変更を可能とするものである。
【発明の効果】
【００１０】
本発明によれば、使用者が好みに応じて画面レイアウトを自由にカスタマイズできる使い勝手の良好なデータ処理装置の表示方法を実現することができる。
【発明を実施するための最良の形態】
【００１１】
以下、図１から図７を参照して、本発明に係るデータ処理装置を具体的に説明する。ここで説明するデータ処理装置は、ＣＡＤデータで作成された半導体回路を過去の事例データと照合し、これらの照合結果から前記半導体回路の問題点を抽出して改良を図ることを主体とした設計支援システムを事例として説明している。しかし、この発明は、この事例に限定されるものではなく、使用者が好みに応じて画面レイアウトを自由にカスタマイズできる使い勝手の良好なデータ処理装置に適用できる。
【００１２】
先ず、図１を参照して、このデータ処理装置の概略構造を説明する。ここで、図１はデータ処理装置の概略構成図である。
【００１３】
図１において、符号１で総括的に示すデータ処理装置は、このデータ処理装置１を統括的に制御する制御装置１０と、プログラムなどを格納する内部記憶装置１１と、外部記憶装置１２と、外部機器との接続を可能とする外部インターフェイス１３と、各種の情報を表示するための表示装置１４と、入力機器としてのキーボード１５とマウス１６を含んで構成される。この実施の形態では、前記制御装置１０と内部記憶装置１１と外部記憶装置１２と外部インターフェイス１３とを１つの制御装置本体１７に収め、前記外部インターフェイス１３を介して別体の表示装置１４とキーボード１５とマウス１６と接続することでデータ処理装置１としている。このデータ処理装置１の構成は一般的なデイスクトップ型のパーソナルコンピュータと同様であり、他のノート型のパーソナルコンピュータでも適用できる。また、この実施の形態では外部記憶装置１２にCADデータなどの各種データを格納して解析する構造としているが、外部インターフェイス１３を介してネットワークと接続し、このネットワークを介して各種データを取得して解析することができる。
【００１４】
この実施の形態では、このデータ処理装置１のＯＳであるウインドウシステムを起動させて前記表示装置１４にＯＳの図示しない初期画面を表示し、この初期画面に配置されるこの設計支援システムのアイコンをクリックすることにより、前記制御装置１０が内部記憶装置１１からプログラムを読み出して起動させ、図１に示すようなワーク画面２００を備えたこの実施の形態に係る設計支援システムを起動させる。
【００１５】
そして、このデータ処理装置１の大きな特徴の１つは、ウインドウ形式のワーク画面２００内に、重ね表示される複数のワークシートをタブを介して移動させることで多様なレイアウトが可能なメインワーク領域２１０と、分野ごとに特定の機能のアイコンを配置した操作メニュー表示領域２５０と、特定の機能の選択表示領域２７０と配置した点にある。
【００１６】
即ち、この実施の形態に係るワーク画面２００は、このワーク画面２００の最上部に帯状に形成されるタイトルバー２０１と、このタイトルバーの下方に設けられる帯状のツールバー領域２０２と、このツールバー領域２０２の下方に設けられる帯状の操作メニュー表示領域２５０と、操作メニュー表示領域２５０の一方の片側に設けられるメインワーク領域２１０と、操作メニュー表示領域２５０の他方の片側に上下に設けられる２つの選択表示領域２７０とを含んで構成される。
【００１７】
このワーク画面２００では、タイトルバー２０１以外の各領域が１つのウインドウとして取り扱われており、この各領域は、その位置を自由に移動させることができる。例えば、２つの選択表示領域２７０を右側から左側に移動することもできるし、あるいは、操作メニュー表示領域２５０をワーク画面２００の下方に移動させることもできる。また、操作メニュー表示領域２５０は、図１では横長帯状であるが、ワーク画面２００の片側に移動させた場合は、縦長帯状に形状を変化させることができる。更に、操作メニュー表示領域２５０と選択表示領域２７０はワーク画面２００のウインドウ外に引き出して配置することができる。したがって、２つの表示装置で１画面表示を行う場合、一方の表示装置にワーク画面２００を表示し、他方の表示装置に操作系をまとめるように操作メニュー表示領域２５０と選択表示領域２７０を表示することで、ワーク画面２００の表示領域をメインワーク領域２１０に割り当ててデータの見易さを向上するとともに、操作系をまとめて使い勝手を向上することができる。
【００１８】
また、選択表示領域２７０は、CADデータやレイヤーなどを選択する選択機能やメインワーク領域２１０の表示操作機能や追加したホットスポットの選択機能ごとに設けられている。これらの選択表示領域２７０は、データ表示窓２７１と、このデータ表示窓２７１に表示されるデータの設定や選択を行う操作スイッチ群２７２を備えている。したがって、これらの選択表示領域２７０は、特定の大きさを備えており、ワーク画面２００内に表示するに当たり、選択表示領域２７０の全ての領域が表示できない場合は、制御装置１０は縦スクロールバー２０４または横スクロールバー２０３を選択表示領域２７０に表示する。
【００１９】
一方、メインワーク領域２１０は、それぞれにデータを表示可能な複数のワークシート２１１から構成されており、通常、これらワークシート２１１はメインワーク領域２１０内で重ね表示されている。そして、各ワークシートは、所定のワークシートの１つが全画面表示されている。これらワークシートの選択は、一辺側（上辺または下辺）に設けたタブ２１２を選択することにより、当該選択されたタブ２１２のワークシートがメインワーク領域２１０内で全画面表示される。
【００２０】
そして、このデータ処理装置１の他の大きな特徴の１つは、タブ形式で重ね表示されたメインワーク領域２１０内を、特定のタブ２１２を介してドラッグさせることにより、分割及び面積の変更を可能とした点にある。
【００２１】
即ち、この実施の形態では、前記タブ２１２の１つにカーソル２０５を移動させてクリック操作すると、当該タブ２１２の第１ワークシート２１１ａが全画面表示される。そして、この全画面表示されるタブ２１２をドラッグして、例えば図１に示すように右側に移動させると、この第1ワークシート２１１ａの領域は右側に縮小される。これにより、第１ワークシート２１１ａの移動した左側の領域には、裏面に隠れている第２ワークシート２１１ｂがその移動した領域の面積で表示される。また、ドラッグしたタブ２１２を更に下方にドラッグすると、その上部に第２ワークシート２１１ｂの裏面側に隠れていた第３ワークシート２１１ｃがその移動した領域の面積で表示される。
【００２２】
従来のウインドウシステムで適用される文書作成ソフトや表計算ソフトでは、複数のデータを立ち上げている場合、この複数のデータをワーク領域内に自動的に割り当てて分割表示するものが知られている。しかし、これらの分割されたデータ領域は、互いの領域の大きさが連動していないために、１つの領域の大きさを変更しても、他のデータ領域の大きさが変更されない。このため、自動割当された後に１つのデータ領域の大きさの変更を行うと、他のデータ領域の変更を行うか、あるいは、領域が重なったままの画面や領域のない空白な領域をそのままにして作業を続けなければならない。
【００２３】
これに対し、この実施の形態では、タブ形式で重ね表示される複数のワークシート２１１のタブ２１２をドラッグすることにより、メインワーク領域２１０内を多様に分割して表示することができる。しかも、移動した領域には重ね表示されて隠れている他のワークシート２１１が、この空白となった領域にあわせた大きさで表示されるので、メインワーク領域２１０を無駄なく効率的に活用することができる。
【００２４】
以下、図１から図７を参照して、この実施の形態を更に詳細に説明する。ここで、図２がこの実施の形態に係る設計支援システムの初期画面図である。図３はファイルブラウザ画面図である。図４から図７がメインワーク領域の分割動作を示す画面図である。
【００２５】
先ず、図１において、この実施の形態では、制御装置１０が内部記憶装置１１にワーク画面２００の画面レイアウトを常に（定期的にまたは随時）更新している。したがって、この設計支援システムが立ち上がると、前回の画面レイアウトを制御装置１０が表示装置１４に再現する。制御装置１０は、ワーク画面２００を構成するツールバー領域２０２やメインワーク領域２１０あるいは、操作メニュー表示領域２５０の位置座標と大きさ及び画像を定期的または随時、あるいはシステム終了時に内部記憶装置１１に格納する。特に、この実施の形態では、ワークシート２１１や選択表示領域２７０内のデータ表示窓２７１と操作スイッチ群２７２の配置についても、その位置座標と大きさ及び画像を内部記憶装置１１に格納することができる。これにより、使用者は好みに応じて画面レイアウトを自由にカスタマイズして何時でも同じ画面レイアウトで作業を行うことができる。
【００２６】
また、この実施の形態では、これらカスタマイズした画面レイアウトを名前をつけて前記内部記憶装置１１に格納することができる。これにより、使用者は、複数の画面レイアウトを格納しておき、使用場面に応じて、使い勝手の良いワーク画面２００を呼び出して作業を行うことができる。
【００２７】
次に、図２を参照して、この設計支援システムの初期画面を更に詳細に説明する。図２において、図２で示すワーク画面２００は初期画面を示している。タイトルバー２０１とツールバー領域２０２は、ウインドウシステムの基本的な表示である。タイトルバー２０１は右側にこの設計支援システムのタイトル名が表示され、右側に、縮小、全画面、閉じるの基本機能アイコンが表示される。また、ツールバー領域２０２は、フアイルやウインドウ表示やヘルプなどのウインドウシステムで共通的な操作アイコンが表示されている。
【００２８】
この実施の形態では、操作メニュー表示領域２５０と選択表示領域２７０は同様な操作機能が割り当てられている。即ち、操作メニュー表示領域２５０は、利用頻度の高い特定の機能が割り当てられたアイコンを操作の種類ごとにまとめたものであり、この操作メニュー表示領域２５０の操作で、この設計支援システムの基本操作を行うことができる。
【００２９】
例えば、この操作メニュー表示領域２５０には、ホットスポット出力、イメージ出力、重ね合わせ、APP名称、データ名、ログイン名、ログアウト、中心座標、倍率表示設定エリアなどが配置され、これらのエリアに表示されるアイコンにカーソル２０５を位置合わせして決定操作を行うことで、このアイコンに割り当てられた機能を実行することができる。この割り当てられた機能としては、単独の機能を実行したり、あるいは、プルダウン表示を行って更に下層のアイコンを表記して選択したり、あるいはデータの呼び出しや更新操作を行うことができる。
【００３０】
一方、選択表示領域２７０は、CADデータのフアイル呼出部２７４や、メインワーク領域２１０の倍率や位置指示などの表示制御部２７３などの特定の機能を実行するための詳細な操作表示窓２７１や操作スイッチ群２７２が設けられている。
【００３１】
例えば、図２に示す選択表示領域２７０は、表示制御部２７３とフアイル呼出部２７４が表示されたワーク画面２００を示している。表示制御部２７３は、レイアウトナビ部２７５とビュアーコントロール部２７６とマウス位置表示部２７７とを含んで構成される。レイアウトナビ部２７５は、選択された１つのワークシート２１１の全体を表示するフレーム範囲２８３を表示するデータ表示窓２７１ａを備えて、このデータ表示窓２７１ａに現在のメインワーク領域２１０の表示範囲を示す表示ガイド２７８を表示して、拡大表示の全体に対する位置関係を表示する。制御装置１０は、このレイアウトナビ部２７５のフレーム範囲２８３の所定の位置をクリックしたり、あるいは表示ガイド２７８がドラッグされると、その指示操作に基づいて表示位置を移動する。そして、制御装置１０は表示ガイド２７８の範囲内を前記メインワーク領域２１０内の選択されたワークシート２１１に表示し、この表示ガイド２７８の移動に伴ってワークシート２１１の表示も変化させる。
【００３２】
また、ビュアーコントロール部２７６は、画面表示移動キー部２７９と画面回転キー部２８０と倍率設定部２８１と画面座標部２８２とを含んで構成される。画面表示移動キー部２７９と画面回転キー部２８０は上下左右キーを備えており、制御装置１０は、これら４つのキーが操作されるとその移動方向に表示ガイド２７８を移動させるとともに、この移動に伴ってメインワーク領域２１０の表示も変化させる。また、倍率設定部２８１は、フレーム範囲２８３の大きさに対する表示ガイド２７８の倍率を設定するものであり、制御装置１０は、この倍率設定部２８１にキーボード１５を介して入力される数値を受け付けて、更新ボタンの操作で、当該数値を表示ガイド２７８の範囲として設定する。更に、制御装置１０は、表示ガイド２７８の中心位置を前記画面座標部２８２にＸ座標とＹ座標で表示する。
【００３３】
また、前記マウス位置表示部２７７は、マウス座標表示部とワークシート２１１のセル名称とレイヤー数の表示領域とを備えており、制御装置１０はメインワーク領域２１０の表示内容とカーソル位置に基づいてこれら表示内容に適切な数値を表示する。
【００３４】
また、フアイル呼出部２７４は、ワークシート２１１で表示されるセルやレイヤーを選択または検索して呼び出すためのコントローラである。この他、同種の選択表示領域２７０としては、前記したカスタマイズして登録したワーク画面２００を呼び出すための図示しないレイアウト選択部やメインワーク領域２１０に表示するデータを選択するための図示しないファイルブラウザ部などを準備している。これら選択表示領域２７０はフアイル呼出部２７４と同様な表示形態で表示される。
【００３５】
次に、メインワーク領域２１０は、名称が付されたタブ２１２を備えたワークシート２１１がメインワーク領域２１０内で積層されて構成され、ワークシート２１１自身は、予め設定された、または、事前に予め登録されたワークシート２１０がメインワーク領域２１０内に全画面表示され、タブ２１２は上辺または下辺あるいは左辺または右辺の一方に、各辺方向に沿って互いに重複しないように並べて配置される。したがって、利用者は、このタブ２１２を見ることでワークシート２１１の状況を把握することができる。
【００３６】
また、各ワークシート２１２は下辺に横スクロールバー２０３を、右辺に縦スクロールバー２０４が配置され、メインワーク領域２１０に表示されている表示ガイド２７８の範囲がフレーム範囲２８３に対してどのような関係となっているのか簡単に把握することができるとともに、この２つのスクロールバーをドラッグすることで、メインワーク領域２１０に表示している内容（表示ガイド２７８の範囲）を移動させることができる。
【００３７】
次に、図２から図７を参照して、操作方法を説明する。先ず、この実施の形態に係る設計支援システムでは、このシステムを前記操作で立ちあげると図２の初期画面としてのワーク画面２００が表示される。この初期画面を表示するに当たり、制御装置１０は内部記憶装置１１から前回終了時、または予め設定した画面レイアウトを呼び出して表示する。この呼び出されたワーク画面２００では、メインワーク領域２１０が空欄で表示される。
【００３８】
使用者が、操作メニュー表示領域２５０のデータ選択部２８４を選択すると、制御装置１０は図３に示すファイルブラウザ画面３００を表示する。図２に示す事例では、選択表示領域２７０にファイルブラウザ部を表示しない画面レイアウトを初期画面として設定している。したがって、ファイルブラウザ部を初期画面で設定していれば、このファイルブラウザ部を介してデータを簡易的に選択することができる。
【００３９】
図３において、このファイルブラウザ画面３００はワーク画面２００のメインワーク領域２１０と選択表示領域２７０が変更された画面レイアウトとしている。即ち、ファイルブラウザ画面３００の下方右側にリスト領域３１０、このリスト領域３１０の左側にディレクトリ領域３２０とフアイル情報表示領域３３０を上下にそれぞれ表示する。
【００４０】
制御装置１０は、前記ファイルブラウザ画面３００を表示するに当たり、ディレクトリ領域３２０に接続されている内部記憶装置１１や外部記憶装置１２、あるいはネットワーク接続されている記憶装置のフアイルのディレクトリをツリー構造で表示する。そして、制御装置１０は、このディレクトリ領域３２０のホルダが選択されると、当該ホルダ内のデータリストを前記リスト領域３１０に表示する。また、このディレクトリ領域３２０は、リストやサムネールなどの表示内容の選択ボタン３１１が設けられており、この選択ボタン３１１が選択されると、制御装置１０は当該選択されたデータを内部記憶装置１１から呼び出してリスト領域３１０に表示する。更に、使用者が前記リスト領域３１０から１つのデータを選択すると、制御装置１０は当該データの詳細内容を前記フアイル情報表示領域３３０に表示し、かつ、当該データ名をリスト領域３１０の下部に設けられるフアイル選択窓３１２に表示する。そして、制御装置１０は、フアイル選択窓３１２に隣接した開くボタンが操作されると、表示内容を前記ワーク画面２００に切り替えるとともに、当該選択されたデータを内部記憶装置１１から呼び出してメインワーク領域２１０に表示する。
【００４１】
次に、図４から図７を参照して、タブ２１２の移動操作に伴うメインワーク領域２１０の分割操作を説明する。ここで、図４から図７はメインワーク領域のみの画面遷移図を示している。
【００４２】
先ず、図４において、４枚（ＡからＤ）のワークシート２１１が優先順序ＡからＤの順番で積層されている。画面４００は、Ａのワークシート２１１が全面表示されている。この状態から、Ａのタブ２１２にカーソル２０５を位置させて右側にドラッグすると、画面４０１に示すように、制御装置１０は、タブ２１２の移動に伴って、Ａのワークシート２１１の左端を移動させて、Ａのワークシート２１１の面積をドラッグ方向に縮小させる。そして、制御装置１０は、Ａのワークシート２１１の移動に伴う空白部に、次の優先順位が設定されるＢのワークシートをドラッグ方向に徐々に拡張するように表示する。なお、優先順位３番以降については、Ｂのワークシートの背後に積層する状態とする。
【００４３】
また、画面４０１の状態からＡのタブ２１２を下方にドラッグすると、制御装置１０は、画面４０２に示すように、タブ２１２の移動に伴って、Ａのワークシート２１１の上端を移動させて、Ａのワークシート２１１の面積をドラッグ方向に縮小させる。そして、制御装置１０は、Ａのワークシート２１１の移動に伴う空白部に、次の優先順位が設定されるＣのワークシートをドラッグ方向に徐々に拡張するように表示する。なお、優先順位４番以降については、Ｃのワークシートの背後に積層する状態とする。
【００４４】
また、図５において、画面４００の状態から、Ａのタブ２１２にカーソル２０５を位置させて下方にドラッグすると、画面４１１に示すように、制御装置１０は、タブ２１２の移動に伴って、Ａのワークシート２１１の上端を移動させて、Ａのワークシート２１１の面積をドラッグ方向に縮小させる。そして、制御装置１０は、Ａのワークシート２１１の移動に伴う空白部に、次の優先順位が設定されるＢのワークシートをドラッグ方向に徐々に拡張するように表示する。なお、優先順位３番以降については、Ｂのワークシートの背後に積層する状態とする。
【００４５】
また、画面４１１の状態から、Ｃのタブ２１２を右側にドラッグすると、制御装置１０は、画面４１２に示すように、タブ２１２の移動に伴って、Ｃのワークシート２１１の左端を移動させて、Ｃのワークシート２１１の面積をドラッグ方向に縮小させる。そして、制御装置１０は、Ｃのワークシート２１１の移動に伴う空白部に、Ｃより優先順位の高いＢのワークシート２１１をドラッグ方向に徐々に拡張するように表示する。なお、優先順位４番以降については、Ｃのワークシートの背後に積層する状態とする。
【００４６】
また、図６において、画面４００の状態から、Ｃのタブ２１２にカーソル２０５を合わせて決定操作を行うと、制御装置１０はＣのワークシート２１１を前面表示する。そして、例えばＣのタブ２１２を右側にドラッグすると、画面４２２に示すように、制御装置１０は、タブ２１２の移動に伴って、Ｃのワークシート２１１の左端を移動させて、Ｃのワークシート２１１の面積をドラッグ方向に縮小させる。そして、制御装置１０は、Ｃのワークシート２１１の移動に伴う空白部に、優先順位が高いＡのワークシート２１１をドラッグ方向に徐々に拡張するように表示する。なお、優先順位２番のＢのワークシート２１１はワークシート２１１の裏面に配置し、優先順位４番以降のワークシート２１１はＢのワークシート２１１の裏面側に配置するようにする。
【００４７】
また、図７において、画面４００の状態から、Ａのタブ２１２にカーソル２０５を位置させて斜め下方にドラッグすると、画面４３１に示すように、制御装置１０は、タブ２１２の移動に伴って、Ａのワークシート２１１の左角部を移動させて、Ａのワークシート２１１の面積をドラッグ方向（対角線方向）に縮小させる。そして、制御装置１０は、Ａのワークシート２１１の移動に伴う空白部を２分割して、この２分割された空白部に次の優先順位のワークシート２１１を割り当てる。この実施の形態では、Ａのワークシート２１１の左端のＸ軸座標で左右に分割される空白部と、Ａのワークシート２１１のＹ座標で上下に分割される上部の空白部に２分割される。そして、左側の空白部にＢのワークシートを割り当て、上部の空白部にＢの次の優先順位のＣのワークシートを割り当て、次の優先順位のワークシートをＣの裏面側に配置する。
【００４８】
なお、この実施の形態では、対角線移動に伴ってメインワーク領域を３分割するようにしているが、４分割するように設定してもよい。
【００４９】
さらに、この実施の形態では、表示装置１４が1台の例で説明したが、複数の表示装置を接続してマルチモニタとして使用する場合にも適用できることは言うまでもない。この場合には、各表示領域を表示装置のフレーム（枠）を超えて拡大・縮小可能である。
【図面の簡単な説明】
【００５０】
【図１】データ処理装置の概略構成図である。
【図２】この実施の形態に係る設計支援システムの初期画面図である。
【図３】ファイルブラウザ画面図である。
【図４】メインワーク領域の分割動作を示す画面図である。
【図５】メインワーク領域の分割動作を示す画面図である。
【図６】メインワーク領域の分割動作を示す画面図である。
【図７】メインワーク領域の分割動作を示す画面図である。
【符号の説明】
【００５１】
１…データ処理装置、１０…制御装置、１１…内部記憶装置、１２…外部記憶装置、１３…外部インターフェイス、１４…表示装置、１５…キーボード、１６…マウス、１７…制御装置本体、２００…ワーク画面、２０１…タイトルバー、２０２…ツールバー領域、２０３…横スクロールバー、２０４…縦スクロールバー、２０５…カーソル、２１０…メインワーク領域、２１１…ワークシート、２１２…タブ、２５０…操作メニュー表示領域、２７０…選択表示領域、２７１…データ表示窓、２７２…操作スイッチ群、２７３…表示制御部、２７４…フアイル呼出部、２７５…レイアウトナビ部、２７６…ビュアーコントロール部、２７７…マウス位置表示部、２７８…表示ガイド、２７９…画面表示移動キー部、２８０…画面回転キー部、２８１…倍率設定部、２８２…画面座標部、２８３…フレーム範囲、３００…ファイルブラウザ画面、３１０…リスト領域、３１１…選択ボタン、３１２…フアイル選択窓、３２０…ディレクトリ領域、３３０…フアイル情報表示領域。
【図１】
0005188132.tif 000002
【図２】
0005188132.tif 000003
【図３】
0005188132.tif 000004
【図４】
0005188132.tif 000005
【図５】
0005188132.tif 000006
【図６】
0005188132.tif 000007
【図７】
0005188132.tif 000008